(57)【特許請求の範囲】
【請求項１】
一方向に開口した略直方体であり、前記開口部には短手方向に第一開口部と第二開口部とに二分する中央リブがほぼ中央に形成され、前記第一開口部に複数の固定端子を有する絶縁性のケースと、該ケースの外部に突出する摘み部を有し前記開口部内において摺動可能であり、前記第一開口部に組み入れられる第一摺動部と、該第一摺動部から連続し前記第二開口部の長手方向の一端部に位置し該一端部を満たして前記第二開口部の長手方向に摺動可能な第二摺動部を有し、前記第一摺動部と前記第二摺動部に連続する覆面部を有するスライダーと、前記第二開口部に組み込まれるコイルスプリングと、前記スライダーと共に摺動し前記固定端子に弾性力をもって接触する接触子と、前記開口部を覆うカバーとからなり、前記コイルスプリングは全長がコイルスプリングの径に係らずいくら大きなものであっても使用することが可能であり、前記コイルスプリングは前記スライダーを前記摺動方向に付勢し、前記スライダーの前記覆面部は前記第二開口部の一部を除いて前記第二開口部に組み込まれた前記コイルスプリングの全長の二分の一以上を覆うことを特徴とするスライドスイッチ。
【発明の詳細な説明】
【技術分野】
【０００１】
本発明は、スライドスイッチに関するものであり、特に組立て時において個品を安定した状態で配置し、組立工数の削減および安定した歩留まりを可能にする構造に関するものである。
【背景技術】
【０００２】
図７は従来のスライドスイッチ１００を示したものである。従来のスライドスイッチはケース１０１、スライダー１０２、コイルスプリング１０３、接触子１０４（図示せず）、カバー１０５（図示せず）からなる。ケース１０１は一方が開口し、開口部底面には導電性金属からなる複数の電極端子１０６が底面と同一面に一体成形され、電極端子１０６の一端はスライドスイッチ１００が実装される基板（図示せず）にはんだ付け等で接続される。  
【０００３】
ケース１０１は中央部に凸状リブが設けられ、短手方向において２つに分割され、一方には電極端子１０６に弾性接触する導電性金属からなる接触子１０４（図示せず）を組み込んだスライダー１０２がスライドスイッチ１００の操作部である凸状摘み部を外部に突出させて組み入れられ、ケース１０１の他方には一端をケース側壁に当接し、他端をスライダー１０２から突出した側壁部に当接させて位置するようコイルスプリング１０３が組み入れられる。そしてカバー１０５はケース１０１にスライダー１０２、コイルスプリンング１０３が組み入れられた状態でカバー１０５を覆うようにケース１０１に嵌合される。  
【０００４】
こうして組立てられたスライドスイッチ１００は、スライダー１０２に形成された摘み部を図７の紙面左方向にコイルスプリング１０３に付勢しながら動かすことにより、スライダー１０２に嵌合された接触子１０４が接触する電極端子１０６が切り換えられスイッチ信号の切り換えを行うことが可能となる。
【先行技術文献】
【特許文献】
【０００５】
特許２７９５４７７号公報
【発明の概要】
【発明が解決しようとする課題】
【０００６】
しかしながらスライドスイッチ１００は近年、各電気機器の小型化に伴い小型で切り換えストロークの大きいものが要求され、これによってコイルスプリングも径に比較して全長の長いものが採用されることとなり、従来のスイッチ１００において、ケース１０１にの開口部にコイルスプリング１０３を組み入れる際、通常、スイッチ切り換えの初期動作力を得るために自由長を縮めてケース１０１の開口部に組み入れることが必要であることからこの際にコイルスプリング１０３が図７の（b）図に示すように座屈をおこしケース１０１から飛び出したりスライダー１０２およびカバー１０５がケース１０１に確実に嵌合されないといった組立て上の問題が発生し、これにより組立工数の増加および歩留まりの悪化を招くこととなっていた。  
【０００７】
本発明は、上述の問題点に鑑みてなされたもので、組立時のコイルスプリングの座屈、飛び出しを防止し、安定した組立てと歩留まりの向上を可能にするスイッチ構造を提供することを目的とするものである。
【課題を解決するための手段】
【０００８】
請求項１記載の発明は、スライドスイッチにおいて、一方向に開口した略直方体であり、前記開口部には短手方向に第一開口部と第二開口部とに二分する中央リブがほぼ中央に形成され、前記第一開口部に複数の固定端子を有する絶縁性のケースと、該ケースの外部に突出する摘み部を有し前記開口部内において摺動可能であり、前記第一開口部に組み入れられる第一摺動部と、該第一摺動部から連続し前記第二開口部の長手方向の一端部に位置し該一端部を満たして前記第二開口部の長手方向に摺動可能な第二摺動部を有し、前記第一摺動部と前記第二摺動部に連続する覆面部を有するスライダーと、前記第二開口部に組み込まれるコイルスプリングと、前記スライダーと共に摺動し前記固定端子に弾性力をもって接触する接触子と、前記開口部を覆うカバーとからなり、前記コイルスプリングは全長がコイルスプリングの径に係らずいくら大きなものであっても使用することが可能であり、前記コイルスプリングは前記スライダーを前記摺動方向に付勢し、前記スライダーの前記覆面部は前記第二開口部の一部を除いて前記第二開口部に組み込まれた前記コイルスプリングの全長の二分の一以上を覆うことを特徴とする。
【発明の効果】
【０００９】
ケースの開口部にコイルスプリングと接触子を嵌合したスライダーを組み入れ、カバーにて覆うスライドスイッチにおいて、スライダーにコイルスプリングを覆う覆面部を設けたことにより、コイルスプリングを圧縮する方向に付勢しケースに組み入れた際にもコイルスプリングが覆面部により座屈または飛び出すことがなくなり組立性が向上する。また、コイルスプリングの座屈がなくなることからコイルスプリングの全長に対してより小さな径を有するコイルスプリングの使用が可能となり、これによってスライドスイッチの高さをより小さくすることが可能となる。  
【００１０】
また、コイルスプリングの一端がケースの開口部側面に当接し、他端がスライダーの側壁部に当接し、コイルスプリングの一部がスライダーの覆面部により覆われていない構造となるため、組立ての際ケースにスライダーを組み入れ、前記の覆面部に覆われていない部分からコイルスプリングを挿入することが可能となり、コイルスプリンングの座屈または飛び出しをより一層防止することが可能となる。
【図面の簡単な説明】
【００１１】
【図１】本発明に係るスライドスイッチの平面図
【図２】本発明に係るスライドスイッチのカバーをはずした状態の平面図
【図３】図２のＡ−Ａ線における断面図
【図４】図２のＡ−Ａ線における断面図においてスプリングを組み入れる際の状態図
【図５】図２のＢ−Ｂ線における断面図
【図６】本発明における第２の実施例においてカバーをはずした状態の平面図
【図７】（ａ）は従来のスライドスイッチのカバーを除いた状態図、（ｂ）は（ａ）のＣ−Ｃ線における断面図
【発明を実施するための形態】
【００１２】
以下本発明の実施の形態を図面を参照して詳細に説明する。図１乃至図６は本発明の実施の形態を示したものであり、図１は本発明に係るスライドスイッチの平面図、図２は本発明に係るスライドスイッチのカバーをはずした状態の平面図、図３は図２のＡ−Ａ線における断面図、図４は図２のＡ−Ａ線における断面図においてスプリングを組み入れる際の状態図、図５は図２のＢ−Ｂ線における断面図、図６は本発明における第２の実施例においてカバーをはずした状態の平面図、図７は従来のスライドスイッチのカバーを除いた状態図である。スライドスイッチ０１は固定端子２０を一体成形したケース１０、コイルスプリング３０、接触子４０、スライダー５０、カバー６０からなる。  
【００１３】
ケース１０は絶縁材料からなる一方を開口した略長方体であり、開口部には短手方向に第一開口部１２と第二開口部１３とに二分する中央リブ１１がほぼ中央に形成されており、その中央リブ１１の高さは開口部を形成する四方の壁の高さよりも低く設定されている。前記第一開口部１２の底面には複数の導電性金属からなる固定端子２０の接触部２１が露出し、その端部はケース１０の外部に出力端子部２２として延出され、スライドスイッチ０１が実装される際にはんだ付けされ電気機器（図示せず）の回路基板に電気的に接続されることとなる。さらに第一開口部１２を形成する四方の壁のうち中央リブに対向する長手方向の第一外壁１４の頂上部分には後述するスライダー５０のつまみ部５１が組み入れられる摘み用きり欠き１５が形成される。  
【００１４】
コイルスプリング３０はステンレス材料等からなり、組立ての際には全長を一定長さ縮めた状態でケース１０に組み込まれる。  
【００１５】
接触子４０は弾性を有する導電性金属の薄板からなり中央部に形成された略長方形の平面部４１を有し、平面部４１の両側からは接触弾性部４３がほぼ左右対称に同じ方向に折曲されて形成され、各接触弾性部４３の先端は前記固定端子２０の接触部２１を滑らかに摺動できる様に滑らかなＵ字形状に形成されている。  
【００１６】
スライダー５０は絶縁材料からなり、ケース１０の第一開口部１２に組み入れられスライドスイッチ０１の切り換えストローク量の摺動移動が可能な第一開口部１２とほぼ同形状の第一摺動部５２と第一摺動部５２から連続し、摘み用切り欠き１５からケース１０の外部へ突出する摘み部５１を有する。なお、第一摺動部５２は底面側つまり組立てた際にケース１０に形成された固定端子に対向する側に接触子４０を嵌合するための突状ボス５７が形成される。そして、第一摺動部５２から連続し第二開口部１３の長手方向の一端部に位置し該一端部を満たして第二開口部１３の長手方向に摺動可能な第二摺動部５３を有する。そして第一摺動部５２と第二摺動部５３からは第一摺動部５２と第二摺動部５３に連続し、スライダー５０がスライドスイッチ０１の切り換えストローク量摺動可能な第二開口部１３の一部を除いて覆う覆面部５４が形成される。  
【００１７】
カバー６０は薄板金属からなり、ケース１０の開口部を覆う開口部とほぼ同形の平面部６１を有し、平面部６１の端部からはほぼ直角方向に折り曲げられ、ケース１０の側壁に形成された係止凸部に係止する係止部６２を複数有する。  
【００１８】
そしてこれら各部材を以下のように組み立てることによりスライドスイッチ０１が完成する。まず、ケース１０にスライダー５０を組み入れる。この際スライダー５０は突状ボス１６と嵌合穴４２とで嵌合された接触子４０を組み付けた状態で接触子４０をケース１０に形成された固定端子２０に対向される方向で組み入れられる。  
【００１９】
このように組み入れられたスライダー５０は第二摺動部５３の第二摺動部一端部５５が第二開口部一端部１７に当接する位置に配置され、第二開口部他端部１８側はスライダー５０の覆面部５４に覆われることが無くなる。これによって図４に示すようにコイルスプリング３０を第二開口部他端部１８側からスライダー５０をケース１０に組み入れた状態で挿入することが可能となる。コイルスプリング３０は挿入後一端をスライダー５０の第二摺動部他端部５６に当接され、その後一定量コイルスプリング３０が縮められた状態でコイルスプリング３０の他端を第二開口部他端部１８に押し当てて組み入れられる。このようにしてコイルスプリング３０は一部を除いてスライダー５０の覆面部５４に覆われた状態でケース１０に収納される。このようにコイルスプリング３０は大部分、少なくとも収納時のコイルスプリングの全長の二分の一以上が覆面部５４に覆われた状態でケース１０に収納されるためコイルスプリングの全長がコイルスプリングの径に係らずいくら大きくなったとしても組立て中あるいは収納後に座屈を起こしたり、座屈によりケース１０から飛び出すことなく組み立てることが可能となる。またこの状態でカバー６０の平面部６１がケース開口部を覆うようにカバー６０の係止部６２をケース１０の係止凸部に嵌合することも容易となり、すべての組立てをスムーズに行なうことができることとなる。  
【００２０】
そしてこのように組立てられたスライドスイッチは次のように動作することとなる。まず外部に突出した摘み部５１をケース１０の長手方向にコイルスプリング３０に抗して動作させることにより、スライダー５０に嵌合した接触子４０が移動し、これによって各々の接触弾性部４３が異なる二つの固定端子２０の接触部２１に接触することとなりこれによって電気的な切り換えが行なわれる。そして、摘み部５１を開放することによりスライダー５０はコイルスプリング３０の荷重により初期状態に戻り、電気的切り換えが再度行なわれて初期状態へと戻る。  
【００２１】
このようにスライダー５０に設けた覆面部５４でコイルスプリング３０を覆うことにより組立てにおけるコイルスプリング３０の座屈あるいは飛び出しを防止できスムーズな組立てが可能となる。  
【００２２】
本実施例はスライダー５０が片側だけに動作可能なスライドスイッチであるが本発明はこれに限るものではなく、スライダーが左右両方向へ移動するスライドスイッチについても実施することが可能である。また本実施例ではスライダーの摘み部は第一摺動部に連続しているが、これに限るものではなく図６に示すように第二摺動部あるいは覆面部に連続するものであってもよい。
【産業上の利用可能性】
【００２３】
この発明はコイルスプリングを用いてスライダーを摺動させることにより電気的切り換えを行なうスライドスイッチに用いられ、スライダーからの覆面部でコイルスプリングを覆うことによってコイルスプリングの座屈および飛び出しを防止しすることが必要であるスライドスイッチに利用可能である。片側だけの動作ではなく左右両側への動作を有するスイ
ッチに関しても利用可能である。
【符号の説明】
【００２４】
０１  スライドスイッチ  １０  ケース  １１  中央リブ  １２  第一開口部  １３  第二開口部  １４  第一外壁  １５  摘み用切り欠き  １７  第二開口部一端部  １８  第二開口部他端部  ２０  固定端子  ２１  接触部  ２２  出力端子部  ３０  コイルスプリング  ４０  接触子  ４１  平面部  ４２  嵌合穴  ４３  接触弾性部  ５０  スライダー  ５１  摘み部  ５２  第一摺動部  ５３  第二摺動部  ５４  覆面部  ５５  第二摺動部一端部  ５６  第二摺動部他端部５７  突状ボス  ６０  カバー  ６１  平面部  ６２  係止部
【図１】
0005472701.tif 000002
【図２】
0005472701.tif 000003
【図３】
0005472701.tif 000004
【図４】
0005472701.tif 000005
【図５】
0005472701.tif 000006
【図６】
0005472701.tif 000007
【図７】
0005472701.tif 000008